(57)【要約】【課題】連包袋を嵩張ることなく折り重ねる折重ね方法と、その折重ね用ミシン目形成ナイフを提供する。【解決手段】ナイフを、連包袋を繋ぐ横シール部に突き入れて横シール部にジグザグ状のミシン目を形成する。そのミシン目を折り曲げ基準として、横シール部に向けて前記ナイフを突き入れた側となる面が重なるように連包袋を折り曲げる。これに用いられるナイフは、鋭角でＶ字状に交わる切刃２６が横並びに連続するよう突出した刃子２４ａを備え、該刃子２４ａにおける切先２６ａの左右には、切刃２６から刃元側に向けて末広がり状に延在する斜面２４ｅ，２４ｆが設けられ、切刃２６の谷部２４ｂでＶ字状に交わる底部２６ｂと、該底部２６ｂが欠落した切欠き凹部２７を一つ置きに備えて鋸刃状に形成されている。【選択図】図２
2014118166.tif 000002
【特許請求の範囲】
【請求項１】
正面から刃厚方向に鋭角で傾斜するとともに、鋭角でＶ字状に交わる切刃が横並びに連続するよう突出した刃子を備え、該刃子における切先の左右には、切刃から刃元側に向けて末広がり状に延在する斜面が設けられ、切刃の突出側と反対側の谷部でＶ字状に交わる底部と、該底部が欠落した切欠き凹部を少なくとも一つ置きに備えて鋸刃状に形成した刃先部を備えたギザ刃からなるナイフを、連包袋における複数の袋を連続して繋ぐ横シール部に前記切刃がＶ字状に交わる底部に達するまで突き入れて横シール部にジグザグ状のミシン目を形成し、
その形成したミシン目を折り曲げ基準として、横シール部に向けて前記ナイフを突き入れた側となる面が重なるように前記連包袋を折り曲げる、
ことを特徴とする連包袋の折り重ね方法。
【請求項２】
連包袋における複数の袋を連続して繋ぐ横シール部に突き入れて該横シール部にジグザグ状のミシン目を形成し、該ミシン目を折り曲げ基準として、横シール部に向けたナイフの突き入れ側の面を重ねて前記連包袋を折り重ね可能にミシン目を形成し得るギザ刃からなるナイフであって、
正面から刃厚方向に鋭角で傾斜するとともに、切刃が鋭角でＶ字状に交わった切刃が、横並びに連続するよう突出した刃子における切先の左右には、切刃から刃元側に向けて末広がり状に延在する斜面が設けられ、切刃の突出側と反対側の谷部でＶ字状に交わる底部と、該底部が欠落した切欠き凹部を少なくとも一つ置きに備えて鋸刃状に形成した刃先部を備え、
前記横シール部に、前記切刃がＶ字状に交わる底部に達するまで突き入れて横シール部にジグザグ状のミシン目を形成し得る、
折り重ね用ミシン目形成ナイフ。
【請求項３】
前記刃先部における前記刃子には表面から背面側に向けて下降傾斜して切先まで延びる補助刃を備えたことを特徴とする請求項２に記載の折り重ね用ミシン目形成ナイフ。
【発明の詳細な説明】
【技術分野】
【０００１】
本発明は、連包袋を嵩張ることなく折り重ねる折り重ね方法および折り重ね用ミシン目を形成するナイフに関する。
【背景技術】
【０００２】
例えば、食品の複数食入り包装などにおいて、主材と具材などを詰め合わせて包装するようにしたものにおいて、１食ずつで小袋に具材を詰めて包装したものを主材の数と組み合わせて、その複数食分を袋や小箱に詰め合わせるようにして包装される。
この場合に、小袋入りの具材は、個々の袋を必要個数分詰め合わせる必要があり、そのような場合に、最終的に詰め合わせ包装されるまでの搬送過程などでそれらの小袋がばらけて包装の際に支障が生じたり、あるいは搬送中に誤って欠落して必要個数に不足が生じたりするなどの問題が生じることがある。このような問題の観点から、消費する際に、個々の袋に切り離しできるように上下に連続する袋の境界部に形成される横シール部にミシン目を設け、複数の袋が連続して繋がる連包袋として詰め合わせるようにするようにすることが好ましい。
【発明の概要】
【発明が解決しようとする課題】
【０００３】
上記の場合において、ミシン目を折り曲げ基準として連包袋を折り重ねた場合、従来のように直線的に延びる不連続な切込みからなるミシン目では、シール部が円弧状に湾曲するのみで角張った折り重ねを行なうことができずに嵩張ってしまい、包装サイズを大きくする必要があり、包装コストが高くなる。また、省資源化ができない。
【０００４】
而して、本発明の目的は、上記の従来技術の内在する問題に鑑み、連包袋を嵩張ることなく折り重ねる折重ね方法と、その折重ね用ミシン目形成ナイフを提供するものである。
【課題を解決するための手段】
【０００５】
上記の目的を達成するため、本発明は次の手段をとる。
請求項１の発明に係る連包袋の折り重ね方法は、正面から刃厚方向に鋭角で傾斜するとともに、鋭角でＶ字状に交わる切刃(２６)が横並びに連続するよう突出した刃子(２４ａ)を備え、該刃子(２４ａ)における切先(２６ａ)の左右には、切刃(２６)から刃元側に向けて末広がり状に延在する斜面(２４ｅ，２４ｆ)が設けられ、切刃(２６)の突出側と反対側の谷部(２４ｂ)でＶ字状に交わる底部(２６ｂ)と、該底部(２６ｂ)が欠落した切欠き凹部(２７)を少なくとも一つ置きに備えて鋸刃状に形成した刃先部(２４)を備えたギザ刃からなるナイフ(２０)を、連包袋(１０)における複数の袋を連続して繋ぐ横シール部(１２)に前記切刃(２６)がＶ字状に交わる底部(２６ｂ)に達するまで突き入れて横シール部(１２)にジグザグ状のミシン目(１６)を形成し、その形成したミシン目(１６)を折り曲げ基準として、横シール部(１２)に向けて前記ナイフ(２０)を突き入れた側となる面が重なるように前記連包袋(１０)を折り曲げることを特徴とする。
【０００６】
請求項２の発明に係る折り重ね用ミシン目形成ナイフ（２０）は、連包袋(１０)における複数の袋を連続して繋ぐ横シール部(１２)に突き入れて該横シール部(１２)にジグザグ状のミシン目(１６)を形成し、該ミシン目(１６)を折り曲げ基準として、横シール部(１２)に向けたナイフ(２０)の突き入れ側の面を重ねて前記連包袋(１０)を折り重ね可能にミシン目(１６)を形成し得るギザ刃からなるナイフ(２０)であって、正面から刃厚方向に鋭角で傾斜するとともに、切刃(２６)が鋭角でＶ字状に交わった切刃(２６)が、横並びに連続するよう突出した刃子(２４ａ)における切先(２６ａ)の左右には、切刃(２６)から刃元側に向けて末広がり状に延在する斜面(２４ｅ，２４ｆ)が設けられ、切刃(２６)の突出側と反対側の谷部(２４ｂ)でＶ字状に交わる底部(２６ｂ)と、該底部(２６ｂ)が欠落した切欠き凹部(２７)を少なくとも一つ置きに備えて鋸刃状に形成した刃先部(２４)を備え、前記横シール部(１２)に、前記切刃(２６)がＶ字状に交わる底部(２６ｂ)に達するまで突き入れて横シール部(１２)にジグザグ状のミシン目(１６)を形成し得る、折り重ね用ミシン目形成ナイフである。
【０００７】
上記請求項１及び請求項２の発明によれば、連包袋（１０）を繋げる横シール部（１２）にはナイフ（２０）の刃部（２２）により不連続なジグザグ状のミシン目（１６）が形成され、該ミシン目（１６）を折り曲げ基準として連包装を円滑に折り曲げることができ、また、その折り曲げ状態を維持できる。
この折り曲げは、ミシン目（１６）の形成時に横シール部（１２）に対してナイフ（２０）の突き入れ側に折り曲げることにより、連包袋（１０）は嵩高になることなく平らに折り曲がった状態で折り重ねることができる。すなわち、ナイフ（２０）の刃子（２４ａ）の左右には切刃（２６）から刃元側に向けて傾斜して末広がり状に広がる斜面(２４ｅ，２４ｆ)を備えているので、突き入れ側と反対面の切込線に生じるバリは、切刃（２６）の前進に伴い斜面(２４ｅ，２４ｆ)で徐々に後方へ押しやられるので、ナイフ（２０）の突き入れ側への折り曲げに対して、その切り口はバリによる引っ掛かりのない滑らかな状態となる。それにより、ジグザグ状のミシン目（１６）を基準として円滑に折り曲げることができ、また折り曲げ付近が湾曲して嵩高になることなく互いに折り重なった袋を平らな重なり状態とすることができると共に、折り曲げ後は、その切り口の他方が折り曲がった状態から元に戻ろうとするのを、押しやられたバリによって規制する。このように折り曲げ状態を維持でき、折り曲げ部付近が膨らみをもつことなく平らに折り重ねることができる。
【０００８】
請求項３の発明に係る折り重ね用ミシン目形成ナイフ（２０）は、前記刃先部（２４）における前記刃子（２４ａ）には表面から背面側に向けて下降傾斜して切先（２６ａ）まで延びる補助刃（２８ａ）を備えたことを特徴とする。
【０００９】
上記請求項３の発明によれば、刃先部（２４）には他側面側に傾斜した僅かな長さの補助刃（２８）を設けたので、ジグザク状のミシン目（１６）の谷部に微少の切込み（３２）が形成される。それにより、ミシン目（１６）から切り離した後に開封する際に、その切込み（３２）によって開封性を良好なものとすることができる。
【発明の効果】
【００１０】
上述した本発明によれは、連包袋（１０）を嵩張ることなく折り重ねるための折重ね方法と、その折重ね用ミシン目形成ナイフ（２０）を得ることができる。
【図面の簡単な説明】
【００１１】
【図１】本実施形態に係るジグザグ状のミシン目を形成するナイフの刃部を示す正面図である。
【図２】図１の刃部の一部拡大図である。
【図３】図２の斜視図である。
【図４】図１の刃部の側面図である。
【図５】２個の袋が繋がった連包袋を示す斜視図であり、（Ａ）は折り重ね前の状態を示し、（Ｂ）は折り重ね後の状態を示す。
【図６】３個の袋が繋がった連包袋を示す斜視図であり、（Ａ）は折り重ね前の状態を示し、（Ｂ）は折り重ね後の状態を示す。
【図７】連包袋の横シール部にミシン目を入れた状態の拡大図を示し、（Ａ）は折り重ね前の状態を示し、（Ｂ）は折り重ね後の状態を示す。
【発明を実施するための形態】
【００１２】
以下に、図面を参照しながら本発明に係る連包袋の折り重ね方法および折り重ね用ミシン目形成ナイフの実施形態について説明する。なお、以下の説明では、便宜上、ナイフ２０を説明する場合、図１、図２及び図３に示す面側を正面とし、反対側の裏面側を背面とする。
【００１３】
本実施形態の連包袋１０は、例えば、図５（Ａ）や図６（Ａ）に示される。図５（Ａ）は２個の袋１０ａ、１０ｂが繋がって形成されたものであり、図６（Ａ）は３個の袋１０ａ、１０ｂ，１０ｃが繋がって形成されたものである。これらは、例えば、複数食分の主食材との詰め合わせで小箱や袋詰包装するのに同封される具材などを封入した小袋を複数個単位で繋げた連包袋である。
連包袋１０における各袋１０ａ、１０ｂ，１０ｃの収容部を挟む前後位置に形成された横シール部１２で繋げられている。各袋１０ａ、１０ｂ，１０ｃにおける幅方向の一側には縦シール部１４が横シール部１２に交差して形成されている。なお、連包袋１０は、例えば、後述する縦形製袋充填機に等によって得ることができる。
【００１４】
次に、連包袋１０の横シール部１２には、図１に示すナイフ２０の切刃２６を切先２６ａから突き入れることによりジグザグ状のミシン目１６が形成されて、該ミシン目１６を基準として折り曲げられて各袋が重ね合わされる。図５（Ａ）に示す２個の袋１０ａ、１０ｂが繋がる連包袋１０の場合は、矢印で示す向きに折り曲げ、図５（Ｂ）に示すように折り曲げ重ね合わされる。図６（Ａ）に示す３個の袋１０ａ、１０ｂ、１０ｃが繋がる連包袋１０の場合は矢印で示すように中央の袋１０ｂの同じ面側に対して両側の袋１０ａ、１０ｃが折り曲げられて、図６（Ｂ）に示すように各袋が重ね合わされる。
【００１５】
次に、図１〜図４により、横シール部１２に突き入れてジグザグ状のミシン目１６を形成し得るギザ刃で構成したナイフ２０について説明する。図１に示すようにナイフ２０における刃部２２は、所定の厚みを有する扁平な板状として形成されている。刃部２２の所定の厚みとは、後述する刃部２２の先端部に形成する切刃２６をジグザク状に配置形成することのできる厚みである。このナイフ２０は、後述する縦形製袋充填機に配設されるエンドシール機構におけるシール体に着脱可能に内装される。
【００１６】
図２から図４に示すように、刃部２２における刃先部２４の先端には、切刃２６が鋭角でＶ字状に交わって突出する刃子２４ａが形成され、その刃子２４ａは刃先部２４の幅方向に等間隔で鋸刃状に連なり、その刃子２４ａの先端となる切先２６ａを結ぶ線には所定のシャー角αが与えられている。また、切刃２６は図４に示すように、正面から背面側に向けた刃厚方向に鋭角で傾斜している。刃先部２４は、切先２６ａから延びた切刃２６が底部２６ｂでＶ字状に交わる第１の谷部２４ｂと、切先２６ａから底部２６ｂに向けて延びる切刃２６を、切先２６ａから所定長さ分残して底部２６ｂに至る谷間を切り欠くことで、切欠き凹部２７を設けた第２の谷部２４ｃとが交互に設けられる。図２に示すように、各刃子２４ａの正面には、切先２６ａから刃元側に向けて鉛直に延びる直刃２８を備え、その直刃２８の刃元側端部には、切刃２６が交わる角度より小さい角度で斜辺２９が切先２６ａ側でＶ字状に交わる先側頂部２９ａが位置している。また、底部２６ｂより刃元寄りの位置には斜辺２９が刃元側で交わる谷側頂部２９ｂが位置している。そして、底部２６ｂと谷側頂部２９ｂとの間には背面側から正面に向けて傾斜する谷稜線２４ｄが形成される。また、各斜辺２９から各谷稜線２４ｄにかけて広がる斜面２４ｅが形成され、前記切欠き凹部２７の形成部位には、斜面２４ｅと同じ傾斜により斜辺２９から前記谷稜線２４ｄにかけて広がる破断斜面２４ｆが形成される。そして、前記斜辺２９は先側頂部２９ａと谷側頂部２９ｂとで繋がって鋸刃状に連続する。また、斜面２４ｅと破断斜面２４ｆとはナイフ２０の突き入れ先端となる切先２６ａから底部２６ｂと谷側頂部２９ｂとにかけて、末広がりとなる傾斜面として形成される。これにより、刃先部２４は突き入れ方向から見て切刃２６が正面と背面とでジグザグ状に配置され、ナイフ２０の刃部２２を横シール部に突き入れることで、切刃２６ならびに前記直刃２８とによりジグザグ状のミシン目を形成することができる。
【００１７】
図３および図４に示したように、各刃子２４ａの正面に形成される直刃２８には、切先２６ａから鋭角で傾斜して接続される短寸の補助刃２８ａが形成されている。
なお、前記切欠き凹部２７を形成する間隔や各刃子２４ａにおける各刃子２４ａの配設ピッチは、連包袋の包装材の材質や厚みなど種々の切込み条件に応じて設定されるものであればよく、支障なく各袋の折り重ねができて消費されるまでの過程で誤って分離してしまうことのない適宜間隔に定めれば良く、２個おきあるいは３個おき以上の間隔で等間隔あるいは不等間隔に設けるようにすることができる。
【００１８】
本実施形態によれば、上述したナイフ２０の刃部２２を連包袋１０の繋ぎとなる横シール部１２に突き入れることで、切刃２６と直刃２８とによりジグザグ状のミシン目１６が形成され、また、複数個単位で物品の収容部を挟む前後位置に形成した横シール部１２を、ギザ刃を備えたナイフで切断して切り離すことで、図５および図６に示すように、袋が複数個繋がった連包袋１０には、横シール部１２にジグザグ状のミシン目１６が形成され、また、始端と終端とがジグザグ状に切断された連包袋１０を得ることができる。このようなミシン目１６の形成は、例えば、周知の縦形製袋充填機などのエンドシール機構にナイフ２０を設けて実施することができる。そして、連包袋１０を折り曲げて重ねようとする側にナイフ２０を配置し、エンドシール機構でシールして得た横シール部１２にナイフ２０を突き入れることで、横シール部１２に形成されるミシン目１６は、図７（Ａ）に示すように、１つおきにＶ字の頂が不連続となる接続部位３０を有するジグザグ状のミシン目１６として、連包袋１０の幅方向全域に亘って形成される。また、前記補助刃２８ａによって接続部位３０と反対側でＶ字に交わる切込みの交点には、前記補助刃２８ａにより微小な切込み３２が付される。そして、袋を開封する際に、この切込み３２を補助として比較的弱い力で引き裂くことができ、袋を容易に開封することができる。
【００１９】
ナイフ２０は、刃先部２４の切刃２６が刃元側でＶ字状に交わった底部２６ｂに達するまで横シール部１２に突き入れられてミシン目が形成される。この時、第２の谷部２４ｃは切欠凹部２７により切刃２６が存在していないので、袋が切り離されてしまうことなくジグザク状の切り目で一部が繋がったミシン目１６を形成することができる。このように、ナイフの突き入れ量に左右されずに確実にジグザク状のミシン目１６を得ることができる。
横シール部１２へナイフ２０を突き入れた時に、ナイフ２０の突き入れ側の裏面は、切刃２６による切込み線に沿って微小のバリが生じ、そして、各刃子２４ａが切先２６ａから突き刺さって切刃２６で切り進むのに伴い、切先２６ａから刃元側にかけて末広がり状に斜面２４ｅ、２４ｆが延在しているので、その斜面２４ｅ、２４ｆによってバリが徐々に後方に押しやられて、ジグザグ状のミシン目１６となる切り口は、ナイフ２０の突き入れ方向と反対側の後方へバリが押されて退き、その部位は滑らかになった状態となる。そのため、ジグザグ状のミシン目１６を折り曲げ基準として、ナイフ２０の突き入れ方向に向けて引っ掛かりなく連包袋１０を折り曲げることができる。そのため、連包袋１０の折り曲げ部となるシール部が湾曲して膨らんで嵩高となることがない。さらにまた、一旦折り曲げた部位は、押し退けられたバリの存在によって、折り曲げ方向とは反対への戻りが規制されるように作用するので、図５（Ｂ）および図６（Ｂ）に示すように、折り重ねた連包袋は、各袋１０ａ、１０ｂ、１０ｃの折り曲げ部で浮き上がることなく、平たく折り重なった状態を維持することができる。したがって、個々の袋を重ねて載置した場合に比べて、嵩高になることはない。
【００２０】
上記したジグザグ状のミシン目１６を形成するナイフ２０は、例えば、縦形製袋充填機における横シール機構に装着することができる。該横シール機構には一対のシールバーが配設され、そのシールバーの一方にミシン目を形成するナイフ２０が挿通され、また、その下流へ包装長分隔てた位置に連包袋の切り離し用ナイフを設けるようにすればよい。
縦型製袋充填機において、フィルム中に供給される被包装物の上下位置を一対のシール体で挟持し、また、前記ミシン目を形成するナイフをフィルムに突き入れることで、シール体の挟持部位が加熱されて横シール部１２が形成されると共に、該横シール部１２にジグザグ状のミシン目１６が形成されて、ミシン目１６によって複数の袋が繋がる連包袋１０を得ることができる。そして、前記分断用ナイフで連包袋１０を所定数ごとに分割するよう切断することで、複数個単位で袋が繋がる連包袋１０を得ることができる。ミシン目形成用のナイフ突入れ箇所は分断用ナイフの突入れを休止し、分断用ナイフによる切断箇所はミシン目形成用ナイフの突入れを休止する。
【００２１】
以上、本発明の実施の形態について説明したが、本発明は上述した実施の形態に限定されることなく、その他、種々の実施の形態を採用することができる。
・上記の実施の形態では、縦形製袋充填機にミシン目形成用のギザ刃からなるナイフを設けた場合で例示したが、横形製袋充填機などの各種製袋充填機において、物品を包装しつつ連包袋を得る形態の他に製袋充填機などで得た連包袋にミシン目を形成するとともに所定数単位切り離して分離する公知の小袋供給装置などに採用することができる。
・上記の実施の形態におけるシャー角については、刃部２２の幅方向中央を基点に両側が低くなるように設定したり、あるいはシャー角を設けないようにするなど、フィルムの材質や厚みなどの種々の切込条件に応じて設定されるものであればよい。
・切先２６ａにおいて切刃２６が交わる刃子２４ａの突出角度は、包装材の性状などに応じた切込条件に合わせて適切な鋭角に設定すればよい。
・切欠き凹部２７は、切刃２６の横方向に不連続で設けるようにしたが、切込条件に応じて連続して設けるようにしてもよい。
・ナイフ２０の刃先部２４における刃子２４ａの切先２６ａに設けた直刃２８あるいは補助刃２８ａは必要に応じて設けるようにすればよい。その際には、斜辺２９の先側頂部２９ａの位置を延長することで対応し得る。
・上記の実施の形態では、縦シール部１４は、各袋１０ａ，１０ｂ，１０ｃの幅方向の一方の端部に設けた袋で例示したが、その形態に限らず、袋の幅方向の中央付近や幅方向の適宜位置に設けた三方シール袋、その他のピロー包装袋、あるいは、袋幅の左右に縦シールが設けられた４方シール袋など、特に、袋の形態が特定されるものではない。
・連包袋１０としては主食材に添付する具材を封入したものとして記載したが、主食材や食品以外の種々の物品を同一品種や異品種組合わせた複数の袋を連続して繋げたものでもよい。
・連包袋の数は2〜３個に限らず、必要に応じて4個以上の複数個連続する形態であってもよい。
・３個の連包袋１０の重ね形態としては、つづら折りとなるような折り曲げ方向を交互に異ならせて重ね合わせるようにしても良い。この場合には、連包袋を挟む左右に突入れ方向が異ならせ、連包袋の送り方向上流と下流に配設したナイフを交互に突入れ動作させるように構成すればよい。
・１個の袋を相互に重ねる場合の他に、複数の袋に１つの袋が折り重なる形態など、相互に重なる袋の数の組合せが制限されるものではない。
【符号の説明】
【００２２】
１０  連包袋、  １２  横シール部、  １６  ミシン目、  ２０  ナイフ、
２２  刃部、  ２４  刃先部、  ２４ａ  刃子、  ２４ｂ  第１の谷部、
２４ｃ  第２の谷部、  ２４ｄ  谷稜線、  ２４ｅ  斜面、  ２４ｆ  破断斜面、
２６  切刃、  ２６ａ  切先、  ２６ｂ  底部、  ２７  切欠き凹部、  ２８  直刃、
２８ａ  補助刃、  ２９  斜辺、  ２９ａ  先側頂部、  ２９ｂ  谷側頂部、
３０  接続部位、  ３２  切込み
【図１】
2014118166.tif 000003
【図２】
2014118166.tif 000004
【図３】
2014118166.tif 000005
【図４】
2014118166.tif 000006
【図５】
2014118166.tif 000007
【図６】
2014118166.tif 000008
【図７】
2014118166.tif 000009
【手続補正書】
【提出日】平成24年12月21日(2012.12.21)
【手続補正１】
【補正対象書類名】明細書
【補正対象項目名】００２０
【補正方法】変更
【補正の内容】
【００２０】
上記したジグザグ状のミシン目１６を形成するナイフ２０は、例えば、縦形製袋充填機における横シール機構に装着することができる。該横シール機構には一対のシールバーが配設され、そのシールバーの一方にミシン目を形成するナイフ２０が挿通され、また、その下流へ包装長分隔てた位置に連包袋の切り離し用ナイフを設けるようにすればよい。
縦形製袋充填機において、フィルム中に供給される被包装物の上下位置を一対のシール体で挟持し、また、前記ミシン目を形成するナイフをフィルムに突き入れることで、シール体の挟持部位が加熱されて横シール部１２が形成されると共に、該横シール部１２にジグザグ状のミシン目１６が形成されて、ミシン目１６によって複数の袋が繋がる連包袋１０を得ることができる。そして、前記分断用ナイフで連包袋１０を所定数ごとに分割するよう切断することで、複数個単位で袋が繋がる連包袋１０を得ることができる。ミシン目形成用のナイフ突入れ箇所は分断用ナイフの突入れを休止し、分断用ナイフによる切断箇所はミシン目形成用ナイフの突入れを休止する。
【手続補正２】
【補正対象書類名】明細書
【補正対象項目名】００２１
【補正方法】変更
【補正の内容】
【００２１】
以上、本発明の実施の形態について説明したが、本発明は上述した実施の形態に限定されることなく、その他、種々の実施の形態を採用することができる。
・上記の実施の形態では、縦形製袋充填機にミシン目形成用のギザ刃からなるナイフを設けた場合で例示したが、横形製袋充填機などの各種製袋充填機において、物品を包装しつつ連包袋を得る形態の他に製袋充填機などで得た連包袋にミシン目を形成するとともに所定数単位切り離して分離する公知の小袋供給装置などに採用することができる。
・上記の実施の形態におけるシャー角については、刃部２２の幅方向中央を基点に両側が低くなるように設定したり、あるいはシャー角を設けないようにするなど、フィルムの材質や厚みなどの種々の切込条件に応じて設定されるものであればよい。
・切先２６ａにおいて切刃２６が交わる刃子２４ａの突出角度は、包装材の性状などに応じた切込条件に合わせて適切な鋭角に設定すればよい。
・切欠き凹部２７は、切刃２６の横方向に不連続で設けるようにしたが、切込条件に応じて連続して設けるようにしてもよい。
・ナイフ２０の刃先部２４における刃子２４ａの切先２６ａに設けた直刃２８あるいは補助刃２８ａは必要に応じて設けるようにすればよい。その際には、斜辺２９の先側頂部２９ａの位置を延長することで対応し得る。
・上記の実施の形態では、縦シール部１４は、各袋１０ａ，１０ｂ，１０ｃの幅方向の一方の端部に設けた袋で例示したが、その形態に限らず、袋の幅方向の中央付近や幅方向の適宜位置に設けた三方シール袋、その他のピロー包装袋、あるいは、袋幅の左右に縦シールが設けられた４方シール袋など、特に、袋の形態が特定されるものではない。
・連包袋１０としては主食材に添付する具材を封入したものとして記載したが、主食材や食品以外の種々の物品を同一品種や異品種組合わせた複数の袋を連続して繋げたものでもよい。
・連包袋の数は２〜３個に限らず、必要に応じて４個以上の複数個連続する形態であってもよい。
・３個の連包袋１０の重ね形態としては、つづら折りとなるような折り曲げ方向を交互に異ならせて重ね合わせるようにしても良い。この場合には、連包袋を挟む左右に突入れ方向を異ならせ、連包袋の送り方向上流と下流に配設したナイフを交互に突入れ動作させるように構成すればよい。
・１個の袋を相互に重ねる場合の他に、複数の袋に１つの袋が折り重なる形態など、相互に重なる袋の数の組合せが制限されるものではない。
【手続補正４】
【補正対象書類名】図面
【補正対象項目名】図４
【補正方法】変更
【補正の内容】
【図４】
2014118166.tif 000010